(57)【要約】【課題】従来のトイレットペーパーホルダーの構成をそのまま利用しつつ、取り付けられるべき位置を変更することなく、取り付けられるべき位置に柔軟に対応できるトイレットペーパーホルダーの提供。【解決手段】ロール状に巻かれたトイレットペーパーを支持する軸を備えた左右の軸受部と当該左右の軸受部を連結する連結部とを備え、前記連結部が、トイレ内に設置された便座を挟んで互いに対向する左側、右側または左右両側の壁に、当該便座側に近づくにしたがって前記左右の壁面からの距離が小さくなるように傾斜させる傾斜手段を介して当該壁面に固着されてなることを特徴としている。【選択図】図３
0003157002.tif 000002
【実用新案登録請求の範囲】
【請求項１】
ロール状に巻かれたトイレットペーパーを支持する軸を備えた左右の軸受部と当該左右の軸受部を連結する連結部とを備え、
前記連結部が、トイレ内に設置された便座を挟んで互いに対向する左側、右側または左右両側の壁に、当該便座側に近づくにしたがって前記左右の壁面からの距離が小さくなるように傾斜させる傾斜手段を介して当該壁面に固着されてなる
ことを特徴とするトイレットペーパーホルダー。
【請求項２】
前記便座側に近づくにしたがって前記左右の壁面からの距離が小さくなるように傾斜させる傾斜手段が蝶番であり、
当該蝶番の一対の取付板のうちの一方の取付板が板状体であり、
当該蝶番の他方の取付板が、前記便座を挟んで互いに対向する左側、右側または左右両側の壁に、当該便座側に近づく方向に旋回可能に固着されてなる請求項１記載のトイレットペーパーホルダー。
【請求項３】
前記便座側に近づくにしたがって前記左右の壁面からの距離が小さくなるように傾斜させる傾斜手段が略Ｌ字に屈曲した取付脚であり、
当該略Ｌ字に屈曲した取付脚が、前記便座を挟んで互いに対向する左側、右側または左右両側の壁に固着されてなる請求項１記載のトイレットペーパーホルダー。
【請求項４】
前記便座側に近づくにしたがって前記左右の壁面からの距離が小さくなるように傾斜させる傾斜手段が楔状の台座であり、
当該楔状の台座が、前記便座を挟んで互いに対向する左側、右側または左右両側の壁に固着されてなる請求項１記載のトイレットペーパーホルダー。
【考案の詳細な説明】
【技術分野】
【０００１】
本考案はトイレットペーパーホルダーに関する。さらに詳しくは、蝶番の一対の取付板のうちの一方の取付板に設けられ、当該蝶番の他方の取付板が、トイレブース（以下、単にトイレという）内に設置された便座を挟んで互いに対向する左側、右側または左右両側の壁に、当該便座側に近づく方向に旋回可能に固着されるトイレットペーパーホルダーに関する。
【背景技術】
【０００２】
従来より、たとえば特許文献１に開示されているような、ロール状に巻かれたトイレットペーパーを支持する軸５ｘ、５ｙを備えた左右の軸受部５ａ、５ｂと当該左右の軸受部５ａ、５ｂを連結する連結部５ｃとを備え、連結部が、トイレ内に設置された便座を挟んで互いに対向する左側、右側の壁に固着されてなるトイレットペーパーホルダー（以下、ホルダーともいう）が知られている。
【０００３】
また、特許文献２に開示されているような、ロール状に巻かれたトイレットペーパーを支持する軸５ｘ１、５ｙ１を備えた左右の軸受部５ａ、５ｂと当該左右の軸受部５ａ、５ｂを連結する連結部５ｃとを備え、連結部が、トイレ内に設置された便座を挟んで互いに対向する左側、右側の壁に固着され、前記左右の軸受部５ａ、５ｂのそれぞれから延設された延長部ＥＸ、ＥＸの下端に予備のトイレットペーパーを支持する左右の支持腕５ｘ２、５ｙ２を備えたホルダーも知られている。
【０００４】
このようなホルダーは、トイレ内の壁面に取り付けられているので、使用する際に、ホルダーが取り付けられている壁に体を向けながらトイレットペーパーを手で繰り出す必要がある。そして、現在の日本の家屋・マンション・ビルなどにおけるトイレ内に設けられるホルダーは、ほとんどトイレに配設される便座を中心として左右両側面の壁に固定されているのが現状である。
【０００５】
このため、トイレのスペースによっては、ホルダーが便座から遠い位置に取り付けられたり、トイレットペーパーの繰り出し操作を中腰で行わざるを得ず、トイレットペーパーを所定の長さに繰り出してからカバーＣ（図４および５参照）の先端をトイレットペーパーを押圧しながらちぎる際に、自らの腰を捻って横方向にトイレットペーパーを引っ張る操作中に、トイレットペーパーが途中でちぎれたりするという欠点があり、とくにお年寄りや、腰痛持ちの人は、中腰になること自体が困難あるいは不可能であり、そのうえ腰の捻りを伴う作業はさらに困難あるいは不可能である。
【先行技術文献】
【特許文献】
【０００６】
【特許文献１】実公平１−３９５１９号公報
【特許文献２】実公平１−４１３５５号公報
【考案の概要】
【考案が解決しようとする課題】
【０００７】
本考案は、従来のトイレットペーパーホルダーの構成をそのまま利用しつつ、取り付けられるべき位置を変更することなく、取り付けられるべき位置に柔軟に対応できるトイレットペーパーホルダーを提供することを目的とする。
【課題を解決するための手段】
【０００８】
本考案は、ロール状に巻かれたトイレットペーパーを支持する軸を備えた左右の軸受部と当該左右の軸受部を連結する連結部とを備え、
前記連結部が、トイレ内に設置された便座を挟んで互いに対向する左側、右側または左右両側の壁に、当該便座側に近づくにしたがって前記左右の壁面からの距離が小さくなるように傾斜させる傾斜手段を介して当該壁面に固着されてなる
ことを特徴としている。
【０００９】
また、前記便座側に近づくにしたがって前記左右の壁面からの距離が小さくなるように傾斜させる傾斜手段が蝶番であり、当該蝶番の一対のうちの一方の取付板が板状体であり、当該蝶番の他方の取付板が、前記便座を挟んで互いに対向する左側、右側または左右両側の壁に、当該便座側に近づく方向に旋回可能に固着されてなることが好ましい。
【００１０】
また、前記便座側に近づくにしたがって前記左右の壁面からの距離が小さくなるように傾斜させる傾斜手段が略Ｌ字に屈曲した取付脚であり、当該略Ｌ字に屈曲した取付脚が、前記便座を挟んで互いに対向する左側、右側または左右両側の壁に固着されてなることが好ましい。
【００１１】
また、前記便座側に近づくにしたがって前記左右の壁面からの距離が小さくなるように傾斜させる傾斜手段が楔状の台座であり、当該楔状の台座が、前記便座を挟んで互いに対向する左側、右側または左右両側の壁に固着されてなることが好ましい。
【考案の効果】
【００１２】
本考案によれば、従来のトイレットペーパーホルダーの構成をそのまま利用しつつ、取り付けられるべき位置を変更することなく、取り付けられるべき位置に柔軟に対応できるトイレットペーパーホルダーを提供することができる。
【図面の簡単な説明】
【００１３】
【図１】本考案の一実施の形態にかかわるトイレットペーパーホルダーがトイレ内の壁に取り付けられた状態を示す説明図である。
【図２】本考案のトイレットペーパーホルダーに適用される傾斜手段の一例を説明図である。
【図３】本考案のトイレットペーパーホルダーのトイレ内における配置状態を示す説明図である。
【図４】従来のトイレットペーパーホルダーの一例を示す説明図である。
【図５】従来のトイレットペーパーホルダーの他の一例を示す説明図である。
【考案を実施するための形態】
【００１４】
添付図面を参照しながら、本考案のトイレットペーパーホルダー（以下、ホルダーという）を以下に詳細に説明する。
【００１５】
図１は本考案の一実施の形態かかわるトイレットペーパーホルダーがトイレ内の壁に取り付けられた状態を示す説明図、図２は本考案のトイレットペーパーホルダーに適用される傾斜手段の一例を説明図、図３は本考案のトイレットペーパーホルダーのトイレ内における配置状態を示す説明図である。
【００１６】
図１〜３を参照すると、本実施例の形態にかかわるホルダー１は、ロール状に巻かれたトイレットペーパーＲを支持する軸を備えた左右の軸受部５ａ、５ｂと左右の軸受部５ａ、５ｂを連結する連結部５ｃとを備えており、連結部５ｃは、図３に示されるように、トイレＴＲ内に設置された便座Ｂを挟んで入り口ＯＰに向って、互いに対向する左側の壁Ｗａ、右側の壁Ｗｂまたは左右両側の壁Ｗａ、Ｗｂに、当該便座Ｂ側に近づくにしたがって前記左右の壁面からの距離が小さくなるように（すなわち、便座の中心からのホルダー１の取り付け位置（距離）Ｌ２とＬ１との間にＬ１＜Ｌ２の関係が成り立つとき、便座の中心Ｚに対して近位側の取り付け位置Ｌ１からホルダー１までの距離Ｄ１と便座に対して遠位側の取り付け位置Ｌ２からホルダー１までの距離Ｄ２との間にＤ１＜Ｄ２の関係が成り立つように）傾斜させる傾斜手段Ｓ（図２の（ａ）、（ｂ）および（ｃ）参照）を介して当該壁面Ｗａ、Ｗｂに固着される。壁面Ｗａ、Ｗｂへのホルダー１の固着手段としては、木螺子などの螺子のほか、接着剤を採用することができる。
【００１７】
また、前記便座Ｂ側に近づくにしたがって前記左右の壁面Ｗａ、Ｗｂからの距離が小さくなるように傾斜させる傾斜手段Ｓとしては蝶番Ｓ（図２の（ａ）参照）が好適に採用される。当該蝶番Ｓの一対の取付板２、４のうちの一方の取付板４が板状体であり、当該蝶番Ｓの他方の取付板２が、前記便座Ｂ（図３参照）を挟んで互いに対向する左側の壁Ｗａ、右側の壁Ｗｂまたは左右両側の壁Ｗａ、Ｗｂに、当該便座Ｂ側に近づく方向に旋回可能に固着される。なお、ホルダー１の蝶板Ｓとの固着は、連結部５ｃに設けられた取り付け孔２ａ（図１参照）を通して木ネジなどのネジによる螺着するか、あるいは接着剤によって行うことができる。前記便座Ｂ側に近づくにしたがって前記左右の壁面Ｗａ、Ｗｂからの距離が小さくなるように傾斜させる傾斜手段Ｓとしては蝶番Ｓを採用することのメリットとして、壁Ｗ（図１参照）に対するホルダー１の傾斜角を適宜変更することが可能であることと、当該蝶番Ｓの一対の取付板２、４とが互いに開くように結合部３に挿入された軸ＡＸにバネを巻き付けてバネ付勢させて、使用前は傾斜角を零度にしてロックさせておき、使用時にロックを解除するという従来より公知のロック機構を採用することができることを挙げることができる。
【００１８】
また、前記便座Ｂ側に近づくにしたがって前記左右の壁面Ｗａ、Ｗｂからの距離が小さくなるように傾斜させる傾斜手段Ｓとして、略Ｌ字に屈曲した取付脚Ｓ（図２の（ｂ）参照）を採用することも可能である。当該略Ｌ字に屈曲した取付脚Ｓは、足部２と脚部４とが一体的に結合されており、足部２が取り付け孔２ａを通して木ネジなどのネジにより前記便座Ｂ（図３参照）を挟んで互いに対向する左側の壁Ｗａ、右側の壁Ｗｂまたは左右両側の壁Ｗａ、Ｗｂに固着され、ホルダー１は連結部５ｃからたとえばボルトを通し、さらに脚部４に設けられた取り付け孔４ａを通して、当該ボルトと螺合するナットを用いて固着される。
【００１９】
また、前記便座Ｂ側に近づくにしたがって前記左右の壁面Ｗａ、Ｗｂからの距離が小さくなるように傾斜させる傾斜手段Ｓが楔状の台座（図２の（ｂ）参照）を採用することも可能であり、当該楔状の台座Ｓは、前記便座Ｂ（図３参照）を挟んで互いに対向する左側の壁Ｗａ、右側の壁または左右両側の壁Ｗａ、Ｗｂに、取り付け孔２ａから木ねじなどのネジを介して固着され、ホルダー１は連結部５ｃからたとえば雄ネジを通し、さらに取付板４に刻設された雌ネジ４ｆに螺着される。
【００２０】
なお、前記便座Ｂ側に近づくにしたがって前記左右の壁面Ｗａ、Ｗｂからの距離が小さくなるように傾斜させる傾斜手段Ｓの材質としては、鉄板などの金属性材料のほか合成樹脂材料、木材が採用することができる。
【符号の説明】
【００２１】
１          ホルダー
２、４      取付板
２ａ、４ａ  取り付け孔
４ｆ        雌ネジ
５ａ、５ｂ  軸受部
５ｃ        連結部
ＡＸ        軸
Ｂ          便座
ＯＰ        入り口
Ｓ          傾斜手段（蝶板、取付脚、台座）
ＴＲ        トイレ
Ｗ          壁
Ｗａ        右側の壁
Ｗｂ        左側の壁
Ｚ          便座の中心
【図１】
0003157002.tif 000003
【図２】
0003157002.tif 000004
【図３】
0003157002.tif 000005
【図４】
0003157002.tif 000006
【図５】
0003157002.tif 000007